(57)【要約】      （修正有）【課題】現場での部品管理や装着時の手間等が増すことなく、コストアップを抑制することができ、しかも強い横揺れに対しても防振（防震）性を発揮することができる配管吊下支持具を提供する。【解決手段】バンド抱持部とバンド端部を有する配管支持具であって、抱持した配管類を取付面から２点又は３点支持する配管吊下支持具において、２つのバンド抱持部によって配管類を抱持可能であり、バンド抱持部の下端部分を組式又は蝶番式の如き接続部により拡開可能に接続され、バンド端部が吊下接続部材に接続されることで吊りボルトからの吊下げが可能な構成の配管支持バンドから成り、前記２つのバンド抱持部の真横部に、該バンド抱持部の一部を配管軸に直交する斜め下方方向に向かって切起した切起し係止部が形成され、この切起し係止部の各々に、前記取付面に一端が固定されて斜め吊下げする１本又は２本の吊下支持杆の他端を係合可能な透孔が形成された構成である。【選択図】図１
0003153546.tif 000002
【実用新案登録請求の範囲】
【請求項１】
配管を抱持するバンド抱持部と該バンド抱持部の上端部に連接されたバンド端部を有する配管支持具であって、抱持した配管類を、天井スラブ等の取付面から２点又は３点支持する配管吊下支持具において、
２つのバンド抱持部によって配管類を抱持可能であり、該２つのバンド抱持部の下端部分を組式又は蝶番式の如き接続部により拡開可能に接続され、前記バンド端部がタンバックルの如き吊下接続部材に接続されることで吊りボルトからの吊下げが可能な構成の配管支持バンドから成り、
前記２つのバンド抱持部の真横部に、該バンド抱持部の一部を配管軸に直交する斜め下方方向に向かって切起した切起し係止部が形成され、
この切起し係止部の各々に、前記取付面に一端が固定されて斜め吊下げする１本又は２本の吊りボルトの如き吊下支持杆の他端を係合可能な透孔が形成された構成であること、
を特徴とする配管吊下支持具。
【請求項２】
前記切起し係止部の各々が、前記バンド抱持部の切起された部分から斜め下方に向かって延伸した形状を有する構成であることを特徴とする請求項１に記載の配管吊下支持具。
【請求項３】
前記切起し係止部の各々が、前記バンド抱持部の切起された部分から側方乃至は上方に向かって延伸する延伸部と、この延伸部の先に連接されて斜め下方に向かって彎曲又は折曲する彎曲部又は折曲部とを有して成り、この彎曲部又は折曲部に前記透孔が形成された構成であることを特徴とする請求項１に記載の配管吊下支持具。
【請求項４】
前記切起し係止部の各々が切り起こされることで孔部となるバンド抱持部の被切起し孔部が、前記切起し係止部の上方側に形成される構成であることを特徴とする請求項１〜３のいずれかに記載の配管吊下支持具。
【請求項５】
前記切起し係止部の各々が切り起こされることで孔部となるバンド抱持部の被切起し孔部が、前記切起し係止部の下方側に形成される構成であることを特徴とする請求項１〜３のいずれかに記載の配管吊下支持具。
【請求項６】
前記透孔が、丸孔、又は前記切起し係止部の切起し方向に長径を有する長孔であることを特徴とする請求項１〜５のいずれかに記載の配管吊下支持具。
【請求項７】
前記切起し係止部の先端部が、平面視した際に角丸となるように形成された構成であることを特徴とする請求項１〜６のいずれかに記載の配管吊下支持具。
【請求項８】
前記切起し係止部の先端部が折り返し又は丸め返した構成であることを特徴とする請求項１〜６のいずれかに記載の配管吊下支持具。
【請求項９】
前記取付面に一端が固定された吊りボルトにタンバックルを介して前記バンド端部をボルト・ナット固定し、
前記取付面に一端が固定され、斜め吊下げする１本又は２本の吊りボルトの如き吊下支持杆の他端を、前記切起し係止部の透孔にナットの如き係合手段を用いて係合することにより、
前記吊りボルトと１本又は２本の吊下支持杆による２点又は３点吊下支持する構成であることを特徴とする請求項１〜８のいずれかに記載の配管吊下支持具。
【考案の詳細な説明】
【技術分野】
【０００１】
本考案は配管吊下支持具に関し、詳しくは天井スラブ等の取付面に、水道管、ガス管、冷・暖房管等の各種配管を２点又は３点吊下支持する配管吊下支持具に関する。
【背景技術】
【０００２】
天井スラブ等の取付面に吊りボルト等の支持部材による吊下支持に加えて前記取付面から斜めに垂設した１本又は２本の吊下支持杆を付加すること等によって２点支持乃至は３点吊下支持したり、或いは２本の吊下支持杆によって２点吊下支持することで防振（防震）構造とした技術としては、例えば、特許文献１〜３に記載のもの等が知られている。
【先行技術文献】
【特許文献】
【０００３】
【特許文献１】特開２００４−１５０４５２号
【特許文献２】実用新案登録第２５２４３４０号
【特許文献３】登録実用新案第３１４８３６１号
【考案の概要】
【考案が解決しようとする課題】
【０００４】
特許文献１に示す技術では、従来構成のままの既存のタンバックル及び配管支持具に装着することで３点吊下支持可能な技術であるが、他部材である２枚の板状部材を必要とするため、かかる部品点数の増加によって現場での部品管理の煩雑さや装着時の手間等が新たに加わることとなっている。
【０００５】
特許文献２及び３に示す技術は、配管支持具のバンド抱持部の外面に吊下支持杆との係合部が設けられているため、新たな部材の追加の問題はなく部品管理等の煩雑さ等は無いが、配管支持具自体のコストが上昇せざるを得ない。
【０００６】
以上のことから、現場での部品管理や装着時の手間等が増すことなく、コストアップを抑制することができる配管吊下支持具の要請があることが判った。
【０００７】
更に本考案者が当該技術について鋭意研究を続けたところ、強い横揺れが発生した場合、配管を抱持した状態で取付面から吊下げられる配管支持具は、取付面と吊りボルトとの接続部、吊りボルトとタンバックルとの接続部、タンバックルと配管支持具との接続部からバンド抱持部の上端部分までの部分、等の箇所に負荷がかかり、特に配管を抱持する部分の直上であるバンド抱持部の上端部分に大きな負荷がかかることが判った。
【０００８】
本考案者の研究によれば、前記特許文献１〜３に示す技術では強い横揺れが発生した際には、取付面と吊りボルトとの接続部、吊りボルトとタンバックルとの接続部、タンバックルと配管支持具との接続部については防振（防震）性を発揮することができるが、バンド抱持部の上端部分での防振（防震）性については不充分な場合があることが判った。
【０００９】
そこで本考案の課題は、現場での部品管理や装着時の手間等が増すことなく、コストアップを抑制することができ、しかも強い横揺れに対しても防振（防震）性を発揮することができる配管吊下支持具を提供することにある。
【課題を解決するための手段】
【００１０】
上記課題を解決する本考案は下記構成を有する。
【００１１】
１．配管を抱持するバンド抱持部と該バンド抱持部の上端部に連接されたバンド端部を有する配管支持具であって、抱持した配管類を、天井スラブ等の取付面から２点又は３点支持する配管吊下支持具において、
２つのバンド抱持部によって配管類を抱持可能であり、該２つのバンド抱持部の下端部分を組式又は蝶番式の如き接続部により拡開可能に接続され、前記バンド端部がタンバックルの如き吊下接続部材に接続されることで吊りボルトからの吊下げが可能な構成の配管支持バンドから成り、
前記２つのバンド抱持部の真横部に、該バンド抱持部の一部を配管軸に直交する斜め下方方向に向かって切起した切起し係止部が形成され、
この切起し係止部の各々に、前記取付面に一端が固定されて斜め吊下げする１本又は２本の吊りボルトの如き吊下支持杆の他端を係合可能な透孔が形成された構成であること、
を特徴とする配管吊下支持具。
【００１２】
２．前記切起し係止部の各々が、前記バンド抱持部の切起された部分から斜め下方に向かって延伸した形状を有する構成であることを特徴とする上記１に記載の配管吊下支持具。
【００１３】
３．前記切起し係止部の各々が、前記バンド抱持部の切起された部分から側方乃至は上方に向かって延伸する延伸部と、この延伸部の先に連接されて斜め下方に向かって彎曲又は折曲する彎曲部又は折曲部とを有して成り、この彎曲部又は折曲部に前記透孔が形成された構成であることを特徴とする上記１に記載の配管吊下支持具。
【００１４】
４．前記切起し係止部の各々が切り起こされることで孔部となるバンド抱持部の被切起し孔部が、前記切起し係止部の上方側に形成される構成であることを特徴とする上記１〜３のいずれかに記載の配管吊下支持具。
【００１５】
５．前記切起し係止部の各々が切り起こされることで孔部となるバンド抱持部の被切起し孔部が、前記切起し係止部の下方側に形成される構成であることを特徴とする上記１〜３のいずれかに記載の配管吊下支持具。
【００１６】
６．前記透孔が、丸孔、又は前記切起し係止部の切起し方向に長径を有する長孔であることを特徴とする上記１〜５のいずれかに記載の配管吊下支持具。
【００１７】
７．前記切起し係止部の先端部が、平面視した際に角丸となるように形成された構成であることを特徴とする上記１〜６のいずれかに記載の配管吊下支持具。
【００１８】
８．前記切起し係止部の先端部が折り返し又は丸め返した構成であることを特徴とする上記１〜６のいずれかに記載の配管吊下支持具。
【００１９】
９．前記取付面に一端が固定された吊りボルトにタンバックルを介して前記バンド端部をボルト・ナット固定し、
前記取付面に一端が固定され、斜め吊下げする１本又は２本の吊りボルトの如き吊下支持杆の他端を、前記切起し係止部の透孔にナットの如き係合手段を用いて係合することにより、
前記吊りボルトと１本又は２本の吊下支持杆による２点又は３点吊下支持する構成であることを特徴とする上記１〜８のいずれかに記載の配管吊下支持具。
【考案の効果】
【００２０】
請求項１又は９に示す考案によれば、現場での部品管理や装着時の手間等が増すことなく、コストアップを抑制することができ、しかも強い横揺れに対しても防振（防震）性を発揮することができる配管吊下支持具を提供することができる。
【００２１】
特に、斜め吊下げによって横揺れに対する防振（防震）性を発揮する吊下支持杆を、配管支持具のバンド抱持部の真横部に形成した切起し係止部に係合する構成によって、配管を抱持する部分であるバンド抱持部の最大振れ幅箇所となる真横部を支持することになるので、極めて効果的に横揺れに対する防振（防震）性を発揮させることができる。従って、横揺れ時に生じる、取付面と吊りボルトとの接続部、吊りボルトとタンバックルとの接続部、タンバックルと配管支持具との接続部からバンド抱持部の上端部分までの部分、等の各箇所への負荷を著しく減じることができ、極めて強力な耐震性を発揮させることができる。
【００２２】
また、切起し係止部はバンド抱持部の一部を切り起こすだけで加工可能であるため、別部材を付加することもないし、切り取り加工等によって廃棄が必要となる部材も生じることもなく、低コスト化が可能なだけでなく、環境適正にも優れている。
【００２３】
請求項２に示す考案によれば、バンド抱持部の一部を切起し延伸させ、この部分に透孔を形成するだけで切起し係止部を形成することができるので、極めて容易に且つ低コストで配管吊下支持具を得ることができる。
【００２４】
請求項３に示す考案によれば、切起し係止部を構成する延伸部のバンド抱持部からの切起し角度や、該延伸部に対する彎曲部又は折曲部の彎曲角度又は折曲角度を調整することで吊下支持杆との係合角度等を施工現場の状況に合わせて容易に調整することができる。
【００２５】
請求項４又は５に示す考案によれば、他部材を付加することなくバンド抱持部の一部を用いて切起し係止部を形成することができる。
【００２６】
請求項６に示す考案によれば、透孔に係合する吊下支持杆の斜め角度を長孔の長径方向に微調整することができる。
【００２７】
請求項７又は８に示す考案によれば、バンド抱持部から側方に突き出した状態となる切起し係止部の先端部の作業者への危険性を抑制することができる。
【図面の簡単な説明】
【００２８】
【図１】本考案に係る配管吊下支持具の一実施例を示す５面図（正面図、平面図、底面図、左側面図、Ａ−Ａ断面図）
【図２】図１に示す配管吊下支持具の使用例の一例を示す概略正面図
【図３】本考案に係る配管吊下支持具の他の実施例を示す５面図（正面図、平面図、底面図、左側面図、Ａ−Ａ断面図）
【図４】本考案に係る配管吊下支持具の他の実施例を示す５面図（正面図、平面図、底面図、左側面図、Ａ−Ａ断面図）
【図５】切起し係止部の他の実施例を示す要部拡大側面図
【考案を実施するための形態】
【００２９】
次に、添付の図面に従って本考案を詳細に説明する。
【００３０】
本考案に係る配管吊下支持具（以下、単に支持具と言うこともある。）１は、図１に示すような具体的構成を有し、使用に際しては図２に示すように配管Ｐを抱持した状態で天井スラブ等の取付面２に固定された吊りボルト３及び吊下支持杆４による防振状態で２点又は３点（図２は３点）吊下支持する際に用いるものである。
【００３１】
支持具１の具体的構成としては、図１に示すように、配管吊下支持具本体が２つのバンド抱持部１１・１１によって配管Ｐを抱持状態で支持する一般的な構成及び素材の配管支持バンドを基本構成とし、該２つのバンド抱持部１１・１１の下端部分を組式又は蝶番式（本実施例では蝶番式）の如き接続部１２により拡開可能に接続され、前記２つのバンド抱持部１１・１１の上端部分から連接されているバンド端部１３・１３がタンバックルの如き吊下接続部材３１に接続されることで吊りボルトからの吊下げが可能な構成の配管支持バンドから成り、前記２つのバンド抱持部１１・１１の真横部に該バンド抱持部１１・１１の一部を配管軸に直交する斜め下方方向に向かって切起した切起し係止部１４・１４が形成され、この切起し係止部１４・１４の各々に、前記取付面２に一端が固定されて斜め吊下げする１本又は２本の吊りボルトの如き吊下支持杆４の他端を係合可能な透孔１５・１５が形成された構成である。尚、図１に示す符号１１Ａは、切起し係止部１４が切り起こされることで孔部となったバンド抱持部１１の被切起し孔部である。
【００３２】
前記切起し係止部１４の各々は、吊下支持杆４と係合する部分である透孔１５が形成されている部分がバンド抱持部１１に対して斜め下方方向に向かっていればよく、本実施例では、前記バンド抱持部１１の切起された部分から側方乃至は上方（本実施例では斜め上方）に向かって延伸する延伸部１４Ａが形成され、この延伸部１４Ａの先に連接されて彎曲又は折曲する彎曲部又は折曲部（本実施例では折曲する折曲部）１４Ｂが斜め下方に向かって形成されており、この彎曲部又は折曲部１４Ｂに前記透孔１５が形成された構成となっている。
【００３３】
また図１に示す本実施例では、前記切起し係止部１４の各々が切り起こされることで孔部となるバンド抱持部１１の被切起し孔部１１Ａは、前記切起し係止部１４の上方側に形成されている。
【００３４】
切起し係止部１４の彎曲部又は折曲部１４Ｂの彎曲又は折曲方向は、取付面２からの吊下支持杆４（図２参照）の斜め吊下角度に応じて適宜設定されることが好ましい。具体的な角度としては、好ましくはバンド端部１３を下方に延長した線に対して３０〜８５度、より好ましくは４５〜６０度の範囲であり、防振（防震）性の観点から吊下支持杆４の斜め吊下角度は概ね４５度の角度であることが好ましいことから、切起し係止部１４の彎曲部又は折曲部１４Ｂの角度も概ね４５度であることがとりわけ好ましい。尚、この角度設定の際、彎曲部又は折曲部１４Ｂだけでなく、延伸部１４Ａのバンド抱持部１１に対する切起し角度も併せて調整することで角度設定することが好ましい。
【００３５】
切起し係止部１４の切起し長さは、透孔１５に吊下支持杆４を係合する際に、該吊下支持杆４がバンド抱持部１１に干渉されない長さである。
【００３６】
切起し係止部１４に形成される透孔１５は、図１に示すように丸孔でもよいが、切起し係止部１４の切起し方向（配管軸直交方向でもある方向）に長径を有する長孔であってもよい。長孔とすることで、透孔１５に係合する吊下支持杆４の斜め角度を長孔の長径方向に微調整することができる。
【００３７】
次に、上記構成を有する支持具１の使用例について説明する。
【００３８】
図２に示すように、天井スラブ等の取付面２に一端が固定された吊りボルト３にタンバックルの如き吊下接続部材３１を介してバンド端部１３をボルト・ナット１６により固定することで支持具１を前記取付面２に吊下支持し、更に、前記取付面２に一端が固定され、斜め吊下げする２本の吊りボルトの如き吊下支持杆４・４の他端を、前記透孔１５・１５にナットの如き係合手段４１を用いて係合することにより、前記吊りボルト３と２本の吊下支持杆４・４による３点吊下支持することができる。
【００３９】
以上、本考案に係る配管吊下支持具の実施例について説明したが、本考案は上記実施例に限定されず、本考案の範囲内において種々の他の態様を採ることもできる。
【００４０】
例えば、図２に示す上記実施例では、吊下支持杆４を２本としたが、該吊下支持杆４は施工現場の状況等の諸条件に応じて１本であってもよく、かかる諸条件に応じて２つの切起し係止部１４・１４のいずれか一方に形成された透孔１５のみに吊下支持杆４を係合することで、吊りボルト３と１本の吊下支持杆４による２点吊下支持とすることもできる。
【００４１】
更に本考案の支持具１は、基本構成をバンド抱持部１１・１１によって配管Ｐを抱持する構成の配管支持具とするが、かかる配管支持具の基本構成としては、この種の配管支持具として公知公用の構成及び素材を有する種々仕様のものを基本構成として採ることができる。例えば、上記実施例では、バンド抱持部１１・１１の接続部１２が蝶番式の構成であるが、組式構成の接続部を有する配管支持具であってもよい。
【００４２】
また、本考案の支持具１は、図３に示すような態様を採ることもできる。図３に示す態様は、バンド抱持部１１・１１の各々の一部を切起し形成する切起し係止部１４・１４の各々を、前記バンド抱持部１１の切起された部分から斜め下方に向かって延伸した形状を有する構成である。
【００４３】
更に、前記切起し係止部１４の各々が切り起こされることで孔部となるバンド抱持部１１の被切起し孔部１１Ａは、上記した図１に示す実施例のように切起し係止部１４の上方側に形成される態様に限らず、図４に示すように、切起し係止部１４の下方側に形成される構成であってもよい。切起し係止部１４の下方側に形成する態様の場合、図４に示すように切起し係止部１４は斜め下方に向かって延伸する構成に限らず、図１及び図２に示した延伸部１４Ａと彎曲部又は折曲部１４Ｂとから成る切起し係止部１４と同様の構成を採ることもできる。
【００４４】
更にまた、切起し係止部１４は、バンド抱持部１１から側方に突き出した状態となることから、その先端部の危険性を抑制するために該切起し係止部１４の先端部を図１に示すように平面視した際に角丸となるように形成したり、或いは図５に示すように先端部を折り返し又は丸め返した構成とすることが好ましい。図５の（Ａ）は先端部を折り返し部１４Ｃとした態様、図５の（Ｂ）は先端部を丸め返し部１４Ｄとした態様である。
【符号の説明】
【００４５】
１  配管吊下支持具
１１  バンド抱持部
１１Ａ  被切起し孔部
１２  接続部
１３  バンド端部
１４  切起し係止部
１４Ａ  延伸部
１４Ｂ  彎曲部又は折曲部
１４Ｃ  折り返し部
１４Ｄ  丸め返し部
１５  透孔
１６  ボルト・ナット
２  取付面
３  吊りボルト
３１  吊下接続部材
４  吊下支持杆
４１  係合手段
Ｐ  配管
【図１】
0003153546.tif 000003
【図２】
0003153546.tif 000004
【図３】
0003153546.tif 000005
【図４】
0003153546.tif 000006
【図５】
0003153546.tif 000007